(57)【要約】【課題】消費電流の大きなデバイスを有し、外部充電器による充電を不要にでき、電池交換も不要な電子時計を提供すること。【解決手段】電子時計１は、透光性を有する文字板１１と、文字板１１の裏面側に配置されたソーラーパネル２２と、ソーラーパネル２２で発電された電力を充電する二次電池２４とを備える。ソーラーパネル２２は、７個以上のソーラーセルに分割され、各ソーラーセルは直列に接続されている。７個以上のソーラーセルを直列に接続するため、起電圧が高いリチウムイオン二次電池２４を充電することができる。このため、外部充電器による充電を不要にでき、受信装置３０のような消費電流の大きなデバイスを内蔵できる腕時計を実現できる。【選択図】図２
2014173921.tif 000002
【特許請求の範囲】
【請求項１】
透光性を有する文字板と、
前記文字板の表示面の反対面側に配置されたソーラーパネルと、
前記ソーラーパネルで発電された電力を充電する二次電池とを備え、
前記ソーラーパネルは、７個以上のソーラーセルを有し、前記ソーラーセルは直列に接続されていることを特徴とする電子時計。
【請求項２】
請求項１に記載の電子時計において、
前記ソーラーパネルは、８個以下のソーラーセルを有することを特徴とする電子時計。
【請求項３】
請求項１または請求項２に記載の電子時計において、
前記各ソーラーセルは、ソーラーパネルの表面の中央から外周に向かって扇形状に形成されていることを特徴とする電子時計。
【請求項４】
請求項１から請求項３のいずれかに記載の電子時計において、
前記各ソーラーセルの面積は等しいことを特徴とする電子時計。
【請求項５】
請求項１から請求項４のいずれかに記載の電子時計において、
前記各ソーラーセルは、各ソーラーセルの面積と、前記文字板において、各ソーラーセルに対応する領域の光の透過率とを乗算した値が等しいことを特徴とする電子時計。
【請求項６】
請求項１から請求項５のいずれかに記載の電子時計において、
前記各ソーラーセルは、文字板のデザイン形状に合わせて形成されていることを特徴とする電子時計。
【請求項７】
請求項１から請求項６のいずれかに記載の電子時計において、
衛星から送信された衛星信号を受信する受信部と、
時刻を表示する時刻表示部と、
前記受信した衛星信号から時刻情報を取得して前記時刻表示部に表示する時刻を修正する時刻修正部と、
を有することを特徴とする電子時計。
【発明の詳細な説明】
【技術分野】
【０００１】
本発明は、太陽電池を有する電子時計に関し、特に衛星信号の受信装置や無線通信装置などの消費電流が大きなデバイスを有する電子時計に関する。
【背景技術】
【０００２】
ＧＰＳ（Global Positioning System）衛星から送信される衛星信号を受信して測位や時刻修正を行う電子時計が知られている（例えば、特許文献１）。
特許文献１の腕時計タイプの電子時計では、衛星信号を受信する受信装置や、指針を駆動するモーターを作動するための電池が内蔵されている。この際、受信装置は、指針を駆動するモーターなどに比べて消費電流が格段に大きい。
このため、従来の腕時計で用いられていた酸化銀電池等では電池の内部抵抗が大きく、受信装置を内蔵する腕時計を商品化することができなかった。このため、特許文献１の電子時計では、リチウムイオン二次電池等の内部抵抗の小さな電池を用いていた。
【先行技術文献】
【特許文献】
【０００３】
【特許文献１】特開２００９−１６８６２０号公報
【発明の概要】
【発明が解決しようとする課題】
【０００４】
特許文献１では、外部充電器を用いて前記リチウムイオン二次電池を充電していた。
この外部充電器を用いた充電方式では、外部充電器を設置した場所、例えば自宅などでしか充電が行えない。このため、特に腕時計のように、利用者に装着されて用いられる電子時計では、利便性が低下するという問題があった。
【０００５】
また、電子時計において、利用できる電源装置の一つに、ソーラーパネルがある。
しかしながら、前記リチウムイオン二次電池等は、電池の起電圧が大きいため、これまで腕時計で用いられていたソーラーパネルでは充電できないという問題があった。
このような問題は、衛星信号の受信装置を内蔵する電子時計に限らず、スマートフォンや携帯電話などとの間で無線通信を行う無線通信装置等の消費電流の大きなデバイスを内蔵する電子時計に共通する問題であった。
【０００６】
本発明の目的は、消費電流の大きなデバイスを有する電子時計において、外部充電器による充電を不要にでき、電池交換も不要な電子時計を提供することにある。
【課題を解決するための手段】
【０００７】
本発明の電子時計は、透光性を有する文字板と、前記文字板の表示面とは反対面側に配置されたソーラーパネルと、前記ソーラーパネルで発電された電力を充電する二次電池とを備え、前記ソーラーパネルは、７個以上のソーラーセルを有し、前記ソーラーセルは直列に接続されていることを特徴とする。
【０００８】
本発明の電子時計では、ソーラーパネルが７個以上のソーラーセルを有し、各ソーラーセルが直列に接続されている。１つのソーラーセルでの起電圧は約０．６Ｖ以上である。このため、７個以上のソーラーセルを直列に接続すれば、つまり７段以上のソーラーセルとすれば、約０．６Ｖ×７段＝約４．２Ｖ以上の起電圧が得られる。
一方、６段以下のソーラーセルとした場合、約０．６Ｖ×６段＝約３．６Ｖ以下の起電圧しか得られない。
従って、６段以下のソーラーセルとした場合は、起電圧が約４．２Ｖ程度の二次電池を充電することができない。これに対し、本発明によれば、起電圧が約４．２Ｖ程度の二次電池を充電することができる。
このように起電圧が大きな二次電池をソーラーパネルで充電できるため、外部充電器による充電を不要にでき、また電池交換を不要にできる。
さらに、本発明の電子時計は、起電圧が大きな、例えばリチウムイオン二次電池を電源にできるため、ＧＰＳ受信装置（ＧＰＳモジュール）や無線通信モジュールなどの消費電流の大きなデバイスを内蔵できる。
【０００９】
ここで、前記ソーラーパネルは、８個以下のソーラーセルを有することが好ましい。すなわち、ソーラーパネルは、７個または８個のソーラーセルを有し、各ソーラーセルは直列に接続されていることが好ましい。
【００１０】
腕時計や懐中時計のような携帯可能な電子時計では、筐体（ケース）のサイズに制約があり、あまり大きくすることができない。このため、文字板やソーラーパネルのサイズにも制約があり、通常は、直径３０〜４０ｍｍ程度以下に制約される。
このようなサイズのソーラーパネルにおいて、ソーラーセルの数を９個以上と多くすると、１つのソーラーセルの面積は非常に小さくなる。ソーラーセルの面積が小さくなると、発電電流も小さくなり、各種デバイスを内蔵する電子時計を駆動するために必要な消費電流を確保できない。
さらに、ソーラーセルが９個以上と多くなると、太陽光などの高照度の光が直接ソーラーパネルに当たったときに発生する起電圧が、電子時計の回路に使用されている電子素子や電子デバイスの耐圧を超えてしまう場合がある。このため、電子素子や電子デバイスの耐圧を上げると、それらの消費電流が増えてしまう。
これに対し、本発明のように、ソーラーセルを８個以下にすると、つまりソーラーセルを７段または８段のいずれかにすると、腕時計等の携帯可能な電子時計に組み込まれるソーラーパネルにおいて、ソーラーセルの面積をある程度確保することができ、電子時計を駆動するために必要な消費電流を確保できる。また、高照度の光がソーラーパネルに当たった場合の起電圧が高くなりすぎることを防止でき、前記電子素子や電子デバイスの耐圧を超えることも防止できる。このため、耐圧が高い電子素子や電子デバイスを用いる必要がなく、消費電流を低減できる。
【００１１】
また、前記各ソーラーセルは、ソーラーパネルの表面の中央から外周に向かって扇形状に形成されていることが好ましい。
このような構成によれば、例えば、ソーラーパネルが円板状に形成されている場合、各ソーラーセルは扇形状に形成される。そして、各ソーラーセルの中心角を略同じ角度にすれば、各ソーラーセルの面積を容易に均一化できる。なお、扇形状は、扇形の角が取れた形状など、略扇形状を含む。
さらに、電子時計を腕に装着していると、ソーラーパネルの一部が洋服の袖などで隠される場合がある。この場合も、ソーラーパネルの半分以上に光が照射していれば、ソーラーパネルの中心から扇形状に形成される全てのソーラーセルの一部には光があたる。このため、全く光が当たらずに発電電流量が０となるソーラーセルは存在せず、これらのソーラーセルを直列接続したソーラーパネルは受光面積に応じた発電電力を出力することができる。
【００１２】
また、前記各ソーラーセルの面積は等しいことが好ましい。
ここで、ソーラーセルの面積が等しいとは、ほぼ等しいことを含み、例えば、各ソーラーセルの面積が、全てのソーラーセルの平均面積に対して±１０％以内に納まっている場合などを意味する。
各ソーラーセルの面積を等しくすれば、各ソーラーセルを直列に接続した場合の電流値を最も大きくでき、ソーラーパネルの出力特性を向上できる。すなわち、ソーラーパネルの全面に光が当たっている場合、ソーラーパネルの出力電流は、直列に接続した各ソーラーセルのなかで受光面積が最も小さいセルの電流値に制限される。従って、各ソーラーセルの面積を等しくすれば、ソーラーパネルの出力電流を最大にできる。
【００１３】
また、前記各ソーラーセルは、各ソーラーセルの面積と、前記文字板において、各ソーラーセルに対応する領域の光の透過率とを乗算した値が等しいことが好ましい。
【００１４】
各ソーラーセルでの発電量は、受光面積と、セル表面での放射照度とを乗算した値に比例する。ソーラーセルには、文字板を透過して光が到達するため、前記放射照度は、文字板における透過率で変化する。文字板にはインデックスなどの光を透過しない部品なども設けられるため、各ソーラーセルに対応する領域の透過率は、それぞれ異なる。従って、インデックスや目盛、サブダイヤルなどの配置によって透過率が低くなる領域では、ソーラーセルの受光面積を大きくし、透過率が高い領域ではソーラーセルの受光面積を小さくする。これにより、各ソーラーセルの受光面積と、文字板において各ソーラーセルで受光される光が透過する領域の透過率とを乗算した値を等しくすれば、各ソーラーセルでの発電量も均一化し、ソーラーパネルでの発電量を最も大きくすることができる。また、等しいとは、ほぼ等しいことを含む。
【００１５】
さらに、前記各ソーラーセルは、文字板のデザイン形状に合わせて形成されていることが好ましい。
文字板に設けられるサブダイヤルなどのデザイン形状に合わせて各ソーラーセルを形成し、各ソーラーセルの形状をデザイン形状に合わせることで、各ソーラーセルの分割ラインが文字板のデザインにマッチングして目立たなくなる。このため、文字板の意匠性を向上できる。特に、電子時計では、文字板の意匠性は商品の装飾性を向上させる上で重要な要素であるため、デザイン性に優れた電子時計を提供できる。
【００１６】
さらに、電子時計は、衛星から送信された衛星信号を受信する受信部と、時刻を表示する時刻表示部と、前記受信した衛星信号から時刻情報を取得して前記時刻表示部に表示する時刻を修正する時刻修正部と、を有することが好ましい。
本発明によれば、受信した衛星信号から取得した時刻情報を用いて時刻を修正するので、表示する時刻の精度を向上できる。
【図面の簡単な説明】
【００１７】
【図１】本発明の電子時計を示す正面図である。
【図２】電子時計の概略断面図である。
【図３】ソーラーパネルの表面を示す図である。
【図４】ソーラーセルの出力特性を示すグラフである。
【図５】ソーラーパネルの出力特性を示すグラフである。
【図６】電子時計の構成を示すブロック図である。
【図７】記憶装置の構成を示すブロック図である。
【図８】電子時計での受信処理を示すフローチャートである。
【図９】測位モードでの受信処理を示すフローチャートである。
【図１０】本発明の変形例のソーラーパネルの表面を示す模式図である。
【図１１】本発明の他の変形例のソーラーパネルの表面を示す模式図である。
【発明を実施するための形態】
【００１８】
以下、本発明の具体的な実施形態を図面に基づいて説明する。
図１は、本発明の実施形態に係る電子時計１の正面図であり、図２は電子時計１の概略断面図である。
図１に示すように、電子時計１は、地球の上空を所定の軌道で周回している複数のＧＰＳ衛星１００のうち、少なくとも１つのＧＰＳ衛星１００からの衛星信号を受信して時刻情報を取得し、少なくとも３つのＧＰＳ衛星１００からの衛星信号を受信して位置情報を算出するように構成されている。なお、ＧＰＳ衛星１００は、位置情報衛星の一例であり、地球の上空に複数存在している。現在は約３０個のＧＰＳ衛星１００が周回している。
【００１９】
［電子時計］
電子時計１は、使用者の手首に装着される腕時計であり、時刻等を表示する表示装置１０と、入力装置７０とを備える。
【００２０】
［表示装置］
表示装置１０は、文字板１１、第１の指針１２、第２の指針１３、インジケーター針１４を備える。
文字板１１の大部分は、光および１．５ＧＨｚ帯のマイクロ波が透過し易い非金属の材料（例えば、プラスチックまたはガラス）で形成されている。つまり、文字板１１は、所定の波長（例えば可視光領域）の電磁波のうちの少なくとも一部を通過させる材料を用いて形成されている。
文字板１１は、第１の指針１２に対応するメインダイヤル１１１と、第２の指針１３に対応するサブダイヤル１１２と、インジケーター針１４に対応する目盛部１１３とを備える。
【００２１】
第１の指針１２は、メインダイヤル１１１の表面側に設けられている。第１の指針１２は、秒針１２１、分針１２２、時針１２３を備える。第１の指針１２およびメインダイヤル１１１は、第１の時刻を表示する基本時計を構成する。
第２の指針１３は、サブダイヤル１１２の表面側に設けられている。第２の指針１３は、分針１３１、時針１３２を備える。第２の指針１３およびサブダイヤル１１２は、第２の時刻を表示する小時計を構成する。
従って、本実施形態の電子時計１は、第１の時刻および第２の時刻を表示可能なデュアルタイム機能を備える。
インジケーター針１４は、メインダイヤル１１１の表面側に設けられ、エネルギー残量（電池残量）などの各種情報を指示する。
なお、電子時計１を使用者の手首に装着した際、電子時計１の手首側に装着された側を裏面側、その反対側を表面側という。また、文字板１１の表面側を表示面側ということもある。
【００２２】
指針１２、１３およびインジケーター針１４は、歯車を介してステップモーターで駆動される。本実施形態では、第１の指針１２の分針１２２、時針１２３を駆動するステップモーターと、秒針１２１を駆動するステップモーターと、インジケーター針１４を駆動するステップモーターと、第２の指針１３（分針１３１、時針１３２）を駆動するステップモーターとを備える。さらに、日車を設ける場合には、日車を駆動するためのステップモーターを設ければよい。
【００２３】
［入力装置］
入力装置７０は、リューズ７１と、３つのボタン７２、７３、７４を備える。入力装置７０を操作すると、その手動操作に応じた処理が実行される。
具体的には、リューズ７１を１段引くと、第２の指針１３を手動修正可能となる。この状態で、ボタン７３、７４を押すと、第２の指針１３が移動する。
また、リューズ７１を２段引くと、第１の指針１２を手動修正可能となる。この状態で、ボタン７３、７４を押すと、第１の指針１２が移動する。
【００２４】
ボタン７２を押すと、各種操作モードのキャンセルや、受信処理の中止など、状況に応じた処理が実行される。
ボタン７３が第１設定時間（例えば３秒以上、６秒未満）押されると、測時モードでの手動受信処理（強制受信処理）が実行される。また、ボタン７３が第１設定時間よりも長い第２設定時間（例えば６秒以上）押されると、測位モードでの手動受信処理（強制受信処理）が実行される。さらに、ボタン７３が第１設定時間よりも短い短時間（例えば３秒未満）押されると、前回の受信処理の結果を表示する結果表示処理が行われる。
ボタン７４が押されると、タイムゾーンの設定を秒針１２１で指示する処理などが実行される。
なお、各ボタン７２、７３、７４を押した際に実行される処理は、上記のものに限定されず、電子時計１の機能に応じて適宜設定すればよい。
【００２５】
［電子時計の構造］
図２に示すように、電子時計１は、ステンレス鋼（ＳＵＳ）やチタンなどの金属で構成された外装ケース１７を備えている。外装ケース１７は、略円筒状に形成されている。外装ケース１７の表面側の開口には、ベゼル１８を介して、開口を覆う表面ガラス１９が取り付けられている。ベゼル１８は、衛星信号の受信性能を向上させるためにセラミックスなどの非金属材料で構成される。外装ケース１７の裏面側の開口には、裏蓋２０が取り付けられている。外装ケース１７の内部には、文字板１１、ムーブメント２１、ソーラーパネル２２、ＧＰＳアンテナ２３、二次電池２４などが配置されている。
【００２６】
ムーブメント２１は、第１の指針１２、第２の指針１３、インジケーター針１４等の表示装置１０を駆動する駆動機構２１０を備えている。駆動機構２１０は、ステップモーター、輪列２１１、前記ステップモーターを駆動する駆動回路などを備えて構成されている。ステップモーターは、モーターコイル２１２、ステーター、ローターなどで構成されており、輪列２１１や回転軸１２Ａを介して第１の指針１２等を駆動する。
【００２７】
ムーブメント２１の裏蓋２０側には、回路基板２５が配置されている。
回路基板２５には、ＧＰＳアンテナ２３で受信した衛星信号を処理する受信装置３０と、前記受信装置３０やステップモーターの駆動制御などの各種の制御を行う制御装置４０と、ソーラーパネル２２で発電した電力を二次電池２４に充電する充電回路８０などが取り付けられている。受信装置３０や制御装置４０、充電回路８０は、二次電池２４から供給される電力で駆動される。
【００２８】
［ソーラーパネル］
ソーラーパネル２２は、光エネルギーを電気エネルギーに変換する光発電を行う光発電素子である。ソーラーパネル２２は、図３に示すように、平面視略円形状の基材２２１と、基材２２１の表面側に形成された受光部である７個のソーラーセル２２２〜２２８と、基材２２１の裏面側に形成された図示略の電極（正極および負極）とを備える。
なお、ソーラーパネル２２の表面側を受光面側という。
基材２２１は、合成樹脂製のフィルムなどの絶縁材で構成されている。ソーラーセル２２２〜２２８は、前記基材２２１の表面上に、金属電極層、半導体層、絶縁層、配線電極層、透光性の封止樹脂層などを積層することによって構成されている。
従って、本実施形態のソーラーパネル２２は、フィルム型の太陽電池である。このため、ソーラーパネル２２はソーラーパネル支持基板２２０で支持されている。なお、ソーラーパネル２２としては、基材がガラス等で構成されたものを用いてもよい。この場合、ソーラーパネル支持基板２２０を不要にできる。
【００２９】
７個のソーラーセル２２２〜２２８は、アモルファスシリコン製のソーラーパネルである。ただし、ソーラーパネルの材質はアモルファスシリコンに限定されず、太陽電池として利用可能なものであればよい。
このソーラーセル２２２〜２２８は、ソーラーパネル２２の表面の中央部分つまりソーラーパネル２２において指針１２の回転軸１２Ａが挿通される中心孔２２１Ａ部分から外周に向かって略扇形状に形成されている。すなわち、ソーラーセル２２２〜２２８は、中心孔２２１Ａ部分からソーラーパネル２２の外周に向かう２つの線部分と、中心孔２２１Ａに沿った第１円弧部分と、ソーラーパネル２２の外周に沿った第２円弧部分と、によって囲まれた形状をしている。
【００３０】
ソーラーセル２２２は、サブダイヤル１１２の位置および形状に合わせて略扇形状に形成されている。すなわち、ソーラーセル２２２は、ソーラーパネル２２において、前記中心孔２２１Ａの６時側に形成されている。ソーラーセル２２２は、前記中心孔２２１Ａから基材２２１の外周に向かって延長された分割ライン２２２１、２２２２で、隣り合う他のソーラーセル２２８，２２３と区画されている。これらの分割ライン２２２１、２２２２は、基材２２１においてソーラーセル２２２が形成されていない部分、つまり基材２２１が露出する部分で構成される。分割ライン２２２１、２２２２は、サブダイヤル１１２の外周に沿って円弧状に湾曲した部分と、直線部分とを備えている。各分割ラインは、ソーラーパネル２２の表面の中央部分、つまりソーラーパネル２２において指針１２の回転軸１２Ａが挿通される中心孔２２１Ａ部分から外周に向かって放射状に形成されている。
【００３１】
ソーラーセル２２２の中央部には、第２の指針１３の回転軸が挿入される孔２２１Ｂが形成されている。孔２２１Ｂの周囲には分割ライン２２２３が設けられ、この分割ライン２２２３はソーラーパネル２２の外周に向かって延長されている。
【００３２】
ソーラーセル２２３は、前記分割ライン２２２２と、中心孔２２１Ａから基材２２１の外周に向かって延長された分割ライン２２３１とで、ソーラーセル２２２およびソーラーセル２２４と区画されている。
ソーラーセル２２４は、前記分割ライン２２３１と、中心孔２２１Ａから基材２２１の外周に向かって延長された分割ライン２２４１とで、ソーラーセル２２３およびソーラーセル２２５と区画されている。
ソーラーセル２２５は、前記分割ライン２２４１と、中心孔２２１Ａから基材２２１の外周に向かって延長された分割ライン２２５１とで、ソーラーセル２２４およびソーラーセル２２６と区画されている。
ソーラーセル２２６は、前記分割ライン２２５１と、中心孔２２１Ａから基材２２１の外周に向かって延長された分割ライン２２６１とで、ソーラーセル２２５およびソーラーセル２２７と区画されている。
ソーラーセル２２７は、前記分割ライン２２６１と、中心孔２２１Ａから基材２２１の外周に向かって延長された分割ライン２２７１とで、ソーラーセル２２６およびソーラーセル２２８と区画されている。
ソーラーセル２２８は、前記分割ライン２２７１と、前記分割ライン２２２１とで、ソーラーセル２２７およびソーラーセル２２２と区画されている。
【００３３】
各ソーラーセル２２２〜２２８は、文字板１１のデザイン、例えば、サブダイヤル１１２、目盛部１１３、さらに日車が設けられる場合には日窓等の文字板１１に設けられる各要素の形状、位置などのデザインに応じて配置される。このため、各ソーラーセル２２２〜２２８の面積は多少異なるが、実際に光が照射した際の発電量が略均一になるように設定している。すなわち、ソーラーセル２２２〜２２８によっては、インデックス（時刻を示す数字やバー等）、サブダイヤル１１２の外周部分、インジケーター針１４の目盛部１１３等の文字板１１上に配置される部品によって光が当たらない部分が生じる。このようなデザイン要素となる部品の配置場所や面積により、各ソーラーセル２２２〜２２８に対向する文字板１１の各領域の透過率が異なる。
このため、前記各ソーラーセル２２２〜２２８の面積と、各ソーラーセル２２２〜２２８に照射する光が透過する文字板１１の各領域における透過率とを乗算した値が、略等しくなるように設定されている。
例えば、ソーラーセル２２２の面積をＳ１、文字板１１のソーラーセル２２２に対応する領域の透過率をΤ１とする。文字板１１のソーラーセル２２２に対応する領域とは、例えば、電子時計１を平面視したとき、つまり文字板１１に垂直な方向から見たとき、文字板１１のソーラーセル２２２に重なる領域とすることができる。当該領域の面積はソーラーセル２２２の領域の面積と同じであってもよいし、若干異なっていてもよい。同様に、ソーラーセル２２３〜２２８の各面積をＳ２〜Ｓ７、文字板１１のソーラーセル２２３〜２２８に対応する領域の透過率をΤ２〜Τ７とする。この場合、Ｓ１×Τ１≒Ｓ２×Τ２≒Ｓ３×Τ３≒Ｓ４×Τ４≒Ｓ５×Τ５≒Ｓ６×Τ６≒Ｓ７×Τ７となるように設定している。例えば、上記各面積Ｓ１〜Ｓ７と透過率Τ１〜Τ７とを乗算した値が、前記乗算値の平均値に対して±１０％以下の範囲などに設定すればよい。
【００３４】
７個のソーラーセル２２２〜２２８の出力端子は、直列に接続されている。従って、ソーラーパネル２２の出力電圧Ｖは、７段のソーラーセル２２２〜２２８の各出力電圧Ｖ１〜Ｖ７を加算したものとなる。
ここで、図４に、本実施形態のソーラーセル２２２〜２２８として用いることができる単セルの出力特性の一例を示す。図４は、温度２５℃、光源としてＦＬ５００Ｌｕｘ（５００ルクスの蛍光灯）を用いた場合の特性であり、開放電圧Voc が0.78V/cellであり、短絡電流Isc が17.0μA/cm2である。なお、ソーラーセル２２２〜２２８としては、図４の特性を有するものに限定されない。
【００３５】
このような特性の７段のソーラーセル２２２〜２２８を用いたソーラーパネル２２の出力特性の一例を図５に示す。
図５の実線で示すように、７段のソーラーセル２２２〜２２８を直列に接続しているため、開放電圧は約0.78V×７＝約5.46Vとなる。なお、ソーラーセルを８段直列に接続した場合、図５の一点鎖線で示すように、開放電圧は約0.78×８＝約6.24Vとなる。
【００３６】
図２に示すように、ソーラーパネル２２は、ソーラーパネル支持基板２２０で支持されている。ソーラーパネル支持基板２２０は、例えば、ＢＳ（真鍮）、ＳＵＳ（ステンレス鋼）、チタン合金などの金属材料により形成される厚さ寸法が例えば０．１ｍｍの導電性基板である。このことにより、ソーラーパネル支持基板２２０は、近接して配置されるＧＰＳアンテナ２３と同じ電流分布となってＧＰＳアンテナ２３の一部として機能する。
ソーラーパネル支持基板２２０は、外装ケース１７に接触しないように組み込まれる。すなわち、ソーラーパネル支持基板２２０は、外周縁が外装ケース１７の内周面と離間して接触することなく配置される。
【００３７】
文字板１１およびソーラーパネル２２は、各々の外周径がダイヤルリング１４０の内周径に合わせて形成され、各々の外周はダイヤルリング１４０で隠されているので、ソーラーパネル支持基板２２０が外部から視認されることはない。また、ソーラーパネル支持基板２２０の外形寸法は、ソーラーパネル２２や文字板１１よりも大きな寸法とされ、前記ＧＰＳアンテナ２３の下面位置まで拡大されている。
【００３８】
［ＧＰＳアンテナ］
ＧＰＳアンテナ２３は、矩形断面形状を有するリング状の誘電体基材２３１を備え、その表面にアンテナ電極２３２が形成されたリングアンテナである。
誘電体基材２３１は、電波の波長を短縮させるものであり、例えばアルミナ（εｒ＝８．５）を主成分としたセラミックスや、マイカを成分としたセラミックスである、いわゆるマイカレックス（εｒ＝６．５〜９．５）、ガラス（εｒ＝５．４〜９．９）、ダイヤモンド（εｒ＝５．６８）などで構成できる。
【００３９】
アンテナ電極２３２は、誘電体基材２３１の表面に、銅や銀などの導電性の金属素子を印刷したり、銀や銅などの導電性の金属板を誘電体基材２３１の表面に貼り付けたりすることで、誘電体基材２３１に線状に一体的に形成される。なお、アンテナ電極２３２は、誘電体基材２３１の表面に無電解めっきでパターン形成することで形成してもよい。
【００４０】
アンテナ電極２３２には、接続ピン３１が接触されている。この接続ピン３１は、略円筒状の接続基部３２に挿入されている。接続基部３２は、回路基板２５上のプリント配線に接続されて立設されている。
接続ピン３１および接続基部３２は、プリント配線を介して受信装置３０に電気的に接続されている。接続基部３２は、筒内部に例えばコイルばねなどの付勢部材が設けられており、接続基部３２に挿入された接続ピン３１をアンテナ電極２３２側に付勢している。これにより、接続ピン３１は、アンテナ電極２３２の給電点に押圧され、例えば電子時計１に衝撃が加わった際でも、接続ピン３１とアンテナ電極２３２との接続状態が維持される。
【００４１】
本実施形態において、導電性部材製の裏蓋２０はＧＰＳアンテナ２３のグランド板（反射板）を兼ねている。裏蓋２０は、ムーブメント２１に設けられた接地端子２６に導通している。接地端子２６は、ムーブメント２１の受信装置３０のグランド電位に接続している。このため、裏蓋２０は、接地端子２６を介して受信装置３０のグランド電位に電気的に接続しており、表面ガラス１９側から入射する電波をＧＰＳアンテナ２３に向かって反射させるグランド板（反射板）として機能する。なお、裏蓋２０に接触している導電性部材の外装ケース１７もグランド電位となるため、外装ケース１７もグランド板として機能する。
さらに、裏蓋２０および外装ケース１７が金属製なので、グランド板として機能する他に、利用者の腕に装着した場合のＧＰＳアンテナ２３への影響を回避できる。つまり、ケースがプラスチックケースだと、近傍にある腕の影響を受けて装着時と非装着時でＧＰＳアンテナ２３の共振周波数が変動し、性能差が出て好ましくない。しかし、ケースが金属製なので、そのシールド効果により腕の影響を回避でき、本実施形態では装着時と非装着時とのアンテナ特性に差が殆どなく、安定した受信性能が得られる。
【００４２】
［二次電池］
二次電池２４は、電子時計１の電源装置であり、ソーラーパネル２２で発生した電力を蓄積する。
電子時計１では、ソーラーパネル２２の二つの電極と二次電池２４の二つの電極とを、二本の導通コイルばね２７によってそれぞれ電気的に接続することが可能であり、接続時には、ソーラーパネル２２の光発電によって二次電池２４が充電される。なお、本実施形態では、二次電池２４として、携帯機器に好適なリチウムイオン二次電池を用いているが、リチウムポリマー電池や他の二次電池を用いてもよいし、二次電池とは異なる蓄電体（例えば容量素子）を用いてもよい。
つまり、電子時計１のシステム電圧値以上の起電圧を有し、内部抵抗値が小さな（数ｍＡから数十ｍＡ程度の電流を受信装置等に流すことが可能な）二次電池であればよい。
【００４３】
ソーラーパネル２２は、文字板１１を透過した光がソーラーセル２２２〜２２８に入射することで発電する。ソーラーセル２２２〜２２８で発電された電流は、ソーラーパネル２２の基材２２１に設けられた出力端子（電極）から導通コイルばね２７、充電回路８０を介して二次電池２４に充電される。二次電池２４はリチウムイオン二次電池であるため、その充電には例えば４．２Ｖ程度の高い電圧が必要となる。本実施形態では、７段のソーラーセル２２２〜２２８を直列接続して約５．５Ｖの充電電圧を確保できるので、二次電池２４を十分に充電できる。
【００４４】
［電子時計の回路構成］
図６は、電子時計１の回路構成を示すブロック図である。電子時計１は、受信装置３０、制御装置４０、計時装置５０、記憶装置６０、入力装置７０を備えている。制御装置４０は、自動受信制御部４１０、手動受信制御部４２０、時刻修正部４３０を備えている。
【００４５】
［受信装置］
受信装置３０は、二次電池２４に蓄積された電力で駆動される負荷であり、制御装置４０によって駆動されると、ＧＰＳアンテナ２３を通じてＧＰＳ衛星１００から送信される衛星信号を受信する。そして、受信装置３０は、衛星信号の受信に成功した場合には、取得した軌道情報やＧＰＳ時刻情報などの情報を制御装置４０へ送信する。一方、衛星信号の受信に失敗した場合には、受信装置３０は、その旨の情報を制御装置４０へ送信する。なお、受信装置３０の構成は、公知のＧＰＳ受信回路の構成と同様であるため、その説明を省略する。
【００４６】
［計時装置］
計時装置５０は、二次電池２４に蓄積された電力で駆動される水晶振動子等を備え、水晶振動子の発振信号に基づく基準信号を用いて時刻データを更新する。
【００４７】
［記憶装置］
記憶装置６０は、図７に示すように、時刻データ記憶部６００と、タイムゾーンデータ記憶部６８０と、定時受信時刻記憶部６９０とを備えている。
【００４８】
時刻データ記憶部６００には、受信時刻データ６１０と、閏秒更新データ６２０と、内部時刻データ６３０と、時計表示用時刻データ６４０と、タイムゾーンデータ６５０とが記憶される。
【００４９】
受信時刻データ６１０には、衛星信号から取得した時刻情報（ＧＰＳ時刻）が記憶される。この受信時刻データ６１０は、通常は計時装置５０によって１秒毎に更新され、衛星信号を受信した際には、取得した時刻情報（ＧＰＳ時刻）によって修正される。
【００５０】
閏秒更新データ６２０には、少なくとも現在の閏秒のデータが記憶される。すなわち、衛星信号のサブフレーム４、ページ１８には、閏秒に関するデータとして、「現在の閏秒」、「閏秒の更新週」、「閏秒の更新日」、「更新後の閏秒」の各データが含まれる。このうち、本実施形態では、少なくとも「現在の閏秒」のデータを、閏秒更新データ６２０に記憶している。
【００５１】
内部時刻データ６３０には、内部時刻情報が記憶される。この内部時刻情報は、受信時刻データ６１０に記憶されたＧＰＳ時刻と、閏秒更新データ６２０に記憶している「現在の閏秒」とによって更新される。すなわち、内部時刻データ６３０には、ＵＴＣ（協定世界時）が記憶されることになる。受信時刻データ６１０が前記計時装置５０で更新される際に、この内部時刻情報も更新される。
【００５２】
時計表示用時刻データ６４０には、前記内部時刻データ６３０の内部時刻情報に、タイムゾーンデータ６５０のタイムゾーンデータ（時差情報）を加味した時刻データが記憶される。タイムゾーンデータ６５０は、測位モードで受信した場合に得られる位置情報で設定される。
【００５３】
タイムゾーンデータ記憶部６８０は、位置情報（緯度、経度）とタイムゾーン（時差情報）とを関連付けて記憶している。このため、測位モードで位置情報を取得した場合、制御装置４０は、その位置情報（緯度、経度）に基づいてタイムゾーンデータを取得できるようにされている。
【００５４】
なお、タイムゾーンデータ記憶部６８０には、さらに、都市名とタイムゾーンデータとを関連付けて記憶してもよい。この場合、入力装置７０の操作によって、利用者が現地時刻を知りたい都市名を選択すると、制御装置４０は、タイムゾーンデータ記憶部６８０に対して利用者が設定した都市名を検索し、その都市名に対応するタイムゾーンデータを取得してタイムゾーンデータ６５０に設定すればよい。
【００５５】
定時受信時刻記憶部６９０には、自動受信制御部４１０による定時受信処理を実行する定時受信時刻が記憶される。この定時受信時刻は、前回、ボタン７３を操作して強制受信に成功した時刻が記憶される。
【００５６】
［制御装置］
制御装置４０は、電子時計１を制御するＣＰＵで構成されている。制御装置４０は、受信装置３０を制御して受信処理を実行する受信制御部として、自動受信制御部４１０と、手動受信制御部４２０とを備える。また、制御装置４０は、受信装置３０で受信した衛星信号に含まれる時刻情報を取得し、この時刻情報によって前記受信時刻データ６１０で計時している時刻を修正する時刻修正部４３０を備える。
【００５７】
［自動受信制御部］
自動受信制御部４１０は、定時受信時刻記憶部６９０に設定された定時受信時刻になった場合と、ソーラーパネル２２の発電電圧または発電電流が設定値以上となった場合に、受信装置３０を作動して測時モードでの受信処理を行う。
すなわち、自動受信制御部４１０は、計時時刻、具体的には内部時刻データ６３０が、定時受信時刻記憶部６９０に記憶された定時受信時刻になった際に、受信装置３０を作動する。これを定時受信処理という。
また、自動受信制御部４１０は、ソーラーパネル２２の発電電圧または発電電流が設定値以上となり、屋外においてソーラーパネル２２に日光が照射していると判断できる場合に、受信装置３０を作動する。なお、ソーラーパネル２２の発電状態で受信装置３０を作動する処理の回数は、１日に１回などに制約してもよい。
【００５８】
自動受信制御部４１０は、受信装置３０で少なくとも１つのＧＰＳ衛星１００を捕捉し、そのＧＰＳ衛星１００から送信される衛星信号を受信して時刻情報を取得する。そして、時刻修正部４３０は、時刻情報の取得に成功した場合、取得した時刻情報で受信時刻データ６１０を修正する。
【００５９】
［手動受信制御部］
手動受信制御部４２０は、利用者が入力装置７０のボタン７３を押して強制受信操作を行った場合に、受信装置３０を作動して受信処理を行う。
この際、手動受信制御部４２０は、ボタン７３を押している時間に応じて、測時モードでの受信処理と、測位モードでの受信処理を切り替えて実行する。ボタン７３を第１設定時間（３秒以上、６秒未満）押した場合には測時モードでの受信処理を行い、第２設定時間（６秒以上）押した場合には測位モードでの受信処理を行う。
【００６０】
手動受信制御部４２０は、測時モードでの受信処理を行う場合は、自動受信制御部４１０と同じく、受信装置３０で少なくとも１つのＧＰＳ衛星１００を捕捉し、そのＧＰＳ衛星１００から送信される衛星信号を受信して時刻情報を取得する。そして、時刻修正部４３０は、時刻情報の取得に成功した場合、取得した時刻情報で受信時刻データ６１０を修正する。
【００６１】
手動受信制御部４２０は、測位モードでの受信処理を行う場合は、受信装置３０で少なくとも３個、好ましくは４個以上のＧＰＳ衛星１００を捕捉し、各ＧＰＳ衛星１００から送信される衛星信号を受信して時刻情報を取得し、さらに位置情報を算出して取得する。そして、制御装置４０は、位置情報の取得に成功した場合、取得した位置情報（緯度、経度）に基づいてタイムゾーンデータ記憶部６８０からタイムゾーンデータ（時差情報）を取得し、タイムゾーンデータ６５０に記憶する。
例えば、日本標準時（ＪＳＴ）は、ＵＴＣに対して９時間進めた時刻（ＵＴＣ＋９）であるため、側位モードで取得した位置情報が日本である場合には、制御装置４０は、タイムゾーンデータ記憶部６８０から日本標準時の時差情報（＋９時間）を読み出してタイムゾーンデータ６５０に記憶する。このため、時計表示用時刻データ６４０は、ＵＴＣである内部時刻データ６３０にタイムゾーンデータを加算した時刻となる。
【００６２】
［制御装置の動作］
図８は、本実施形態における電子時計１での衛星信号の受信処理を示すフローチャートである。
制御装置４０は、受信処理を開始すると、自動受信を開始する条件に該当したかを判定する（Ｓ１１）。前述のとおり、制御装置４０は、定時受信時刻になった場合と、ソーラーパネル２２での発電電圧や電流が設定値以上になった場合に、自動受信を開始する条件に該当したと判定する（Ｓ１１：Ｙｅｓ）。
Ｓ１１でＹｅｓと判定された場合、自動受信制御部４１０は、測時モードでの受信処理を開始する（Ｓ１２）。
【００６３】
Ｓ１１でＮｏと判定された場合、手動受信制御部４２０は、ボタン７４が第１設定時間（３秒以上、６秒未満）押される測時モードでの受信操作があったか否かを判定する（Ｓ１３）。
Ｓ１３でＹｅｓと判定された場合、手動受信制御部４２０は、測時モードでの受信処理を開始する（Ｓ１２）。
【００６４】
［測時モードの受信処理］
Ｓ１２での測時モードでの受信処理が開始されると、制御装置４０は、時刻情報の取得に成功したか否かを判定する（Ｓ１４）。
なお、受信装置３０は、まず、ＧＰＳ衛星１００を捕捉するためにサーチする。ＧＰＳ衛星１００を捕捉すると、受信装置３０で衛星信号を受信し、時刻情報を取得する。なお、時刻情報は６秒間隔で送信されるため、衛星信号を６秒間受信すれば時刻情報を受信できる。時刻情報を取得できた場合、制御装置４０は、Ｓ１４でＹｅｓと判定する。それ以外の場合、すなわち、受信装置３０でＧＰＳ衛星１００を捕捉できない場合や、時刻情報を受信できなかった場合には、時刻情報の取得に失敗したと判定する（Ｓ１４：Ｎｏ）。
【００６５】
〔測時モードでの内部時刻修正処理〕
制御装置４０は、時刻情報の取得に成功したと判定した場合（Ｓ１４：Ｙｅｓの場合）には、時刻修正部４３０によって、取得した時刻情報によって受信時刻データ６１０を修正し、さらに閏秒更新データ６２０で補正して内部時刻データ６３０を修正する（Ｓ１５）。内部時刻データ６３０が修正されると、設定されているタイムゾーンデータ６５０で時計表示用時刻データ６４０も修正される。
また、制御装置４０は、駆動機構２１０を介して秒針１２１を所定位置に移動して受信に成功したことを表示する（Ｓ１５）。この受信成功表示は、所定時間、例えば５秒間行われる。
【００６６】
Ｓ１５で内部時刻データ６３０が修正され、所定時間の受信成功表示が終了すると、時計表示用時刻データ６４０に基づいて、指針１２による表示時刻も修正される（Ｓ１６）。なお、第２の指針１３は、第１の指針１２と独立して動くように設定しているため、第１の指針１２の修正に連動して修正されない。ただし、第２の指針１３を第１の指針１２と連動して修正するように構成してもよい。
【００６７】
一方、制御装置４０は、Ｓ１４でＮｏと判定した場合（受信に失敗した場合）は、内部時刻の修正処理（Ｓ１５）を行わずに、駆動機構２１０を介して秒針１２１を所定位置に移動して受信に失敗したことを表示する（Ｓ１７）。この受信失敗表示も、所定時間、例えば５秒間行われる。
Ｓ１６、Ｓ１７の処理が終わると、制御装置４０は、Ｓ１１の処理に戻る。
【００６８】
［測位モードの受信処理］
Ｓ１３でＮｏと判定された場合、制御装置４０は、ボタン７４が第２設定時間（６秒以上）押される測位モードでの受信操作があったか否かを判定する（Ｓ１８）。
Ｓ１８でＮｏと判定された場合、制御装置４０は、Ｓ１１の処理に戻る。
一方、Ｓ１８でＹｅｓと判定された場合、制御装置４０は、測位モードでの受信処理を実行する（Ｓ２０）。
【００６９】
測位モードでの受信処理を図９に示す。
制御装置４０の手動受信制御部４２０は、測位モードでの受信処理を開始する（Ｓ２１）。
Ｓ２１での受信処理が開始された後、制御装置４０は、時刻情報および位置情報の受信に成功したか否かを判定する（Ｓ２２）。
【００７０】
〔測位モードでの時刻修正処理〕
制御装置４０は、受信処理により時刻情報および位置情報の受信に成功したと判定した場合（Ｓ２２：Ｙｅｓの場合）には、取得した位置情報に対応するタイムゾーンデータをタイムゾーンデータ記憶部６８０から取得し、タイムゾーンデータ６５０を修正する（Ｓ２３）。
また、制御装置４０は、取得した時刻情報によって内部時刻データ６３０を修正し、秒針１２１を所定位置に移動して受信に成功したことを表示する（Ｓ２４）。この受信成功表示も、所定時間、例えば５秒間行われる。この際、制御装置４０は、タイムゾーンデータ６５０および内部時刻データ６３０が修正されると、時計表示用時刻データ６４０も修正する。
制御装置４０は、所定時間の受信成功表示が終了すると、時計表示用時刻データ６４０に基づき、第１の指針１２による表示時刻を修正する（Ｓ２５）。これにより、飛行機などで異なるタイムゾーンの国に移動した場合も、第１の指針１２を現地の時刻（ローカルタイム）に自動的に修正できる。
なお、第２の指針１３は、第１の指針１２と独立して動くように設定しているため、第１の指針１２の修正に連動して修正されない。このため、第２の指針１３によってホームタイムを常時表示することができる。
【００７１】
一方、制御装置４０は、Ｓ２２でＮｏと判定した場合（受信に失敗した場合）は、駆動機構２１０を介して秒針１２１を所定位置に移動して受信に失敗したことを表示する（Ｓ２６）。この受信失敗表示も、所定時間、例えば５秒間行われる。
Ｓ２５、Ｓ２６の処理が終わると、制御装置４０は、測位モードでの受信処理Ｓ２０を終了し、図８のＳ１１の処理に戻る。このため、Ｓ１１，Ｓ１３，Ｓ１８のいずれかでＹｅｓと判定されるまで、制御装置４０は受信処理を開始しない待機状態に維持される。
【００７２】
〔実施形態の作用効果〕
このような本実施形態によれば、以下のような作用効果が得られる。
ソーラーパネル２２は、分割されかつ直列に接続された７個のソーラーセル２２２〜２２８を備えているので、これまで腕時計で用いられていた３〜５個のソーラーセルを直列に接続していたソーラーパネルに比べて、ソーラーパネル２２で発電される起電圧を高くできる。このため、従来のソーラーパネルでは充電することができなかったリチウムイオン二次電池２４を、本実施形態のソーラーパネル２２であれば十分に充電できる。
従って、外部充電器による充電を不要にでき、かつ、電池交換も不要にできる。このため、電子時計１を使用しながら充電できるため、利便性を向上できる。よって、携帯性や利便性に優れた電子時計１を実現できる。
その上、３〜５個のソーラーセルを直列に接続した場合でも昇圧回路を設けて起電圧を高くすることはできるが、本実施形態では昇圧回路を設ける必要が無いため、昇圧回路を設けた場合に比べて充電回路８０の負荷を軽減でき、消費電流も低減できる。
【００７３】
また、ソーラーパネル２２は、７個のソーラーセル２２２〜２２８を直列に接続しているので、９個以上等、より多くのソーラーセルを設けて直列に接続した場合に比べて、起電圧を低くできる。このため、耐圧が高い電子素子や電子デバイスを用いる必要が無く、電子素子や電子デバイスでの消費電流を抑制できる。このため、電子時計１の持続時間も長くすることができる。
【００７４】
さらに、ソーラーパネル２２は、７個のソーラーセル２２２〜２２８に分割しているので、８個以上のソーラーセルに分割した場合に比べて、各ソーラーセル２２２〜２２８の面積を大きくでき、ソーラーパネル２２の発電量を大きくできる。このため、受信装置３０等を備える電子時計１の消費電流を確保できる。従って、衛星信号を受信する受信装置３０を、ソーラーパネル２２で発電してリチウムイオン二次電池２４に蓄電された電力で駆動できる腕時計タイプの電子時計１を商品化できる。
【００７５】
また、各ソーラーセル２２２〜２２８は、ソーラーパネル２２の中心から放射状に形成された分割ラインで分割されている。このため、洋服の袖などでソーラーパネル２２の一部が隠されて光が当たらない場合でも、ソーラーパネル２２の半分以上に光が入射されれば、各ソーラーセル２２２〜２２８の少なくとも一部には光を照射できる。このため、光が当たらずに発電電流量が０となるソーラーセル２２２〜２２８は存在せず、ソーラーパネル２２は受光面積に応じた発電電力を出力することができる。
【００７６】
文字板１１には、サブダイヤル１１２、目盛部１１３等が設けられているので、文字板１１内のエリアによって光の透過率が異なる。ここで、ソーラーセル２２２〜２２８の面積と、文字板１１において各ソーラーセル２２２〜２２８に対向する領域の透過率とを乗算した値が略等しくなるように設定しているので、各ソーラーセル２２２〜２２８での発電量も均一化でき、ソーラーパネル２２での発電量を最も大きくすることができる。
【００７７】
さらに、ソーラーセル２２２〜２２８は、サブダイヤル１１２等の文字板１１のデザイン形状に合わせて分割されている。このため、ソーラーセル２２２〜２２８の分割ライン２２２１〜２２７１が文字板１１のデザインにマッチングして目立たなくなる。このため、文字板１１の意匠性を向上でき、デザイン性に優れた電子時計１を提供できる。
【００７８】
また、自動受信処理時は測時モードでの受信処理を行い、受信時間が長くなる測位モードでの受信はボタン７４を第２設定時間押した場合のみ実行するように構成している。このように、測位モードの受信処理を、電子時計１の利用者が意図的に受信操作を行った場合のみ実行しているので、衛星信号を受信できない状態で長時間受信を継続することがなく、電力を大幅に消費することを防止できる。
【００７９】
［他の実施形態］
なお、本発明は前記各実施形態の構成に限定されず、本発明の要旨の範囲内で種々の変形実施が可能である。
図１０に示すように、７個のソーラーセル２２２Ａ〜２２８Ａに分割したソーラーパネル２２Ａを用いてもよい。７個のソーラーセル２２２Ａ〜２２８Ａは、ソーラーパネル２２Ａの中心から放射状に配置された分割ラインで分割された扇形状とされ、その中心角が同一角度（３６０度／７）とされた同一面積のセルである。
このようなソーラーパネル２２Ａは、特に、文字板１１のデザインが、サブダイヤル１１２や目盛部１１３を備えていないシンプルなものであり、文字板１１の各領域における透過率が一定である電子時計に適している。
【００８０】
また、図１１に示すように、８個のソーラーセル２２２Ｂ〜２２９Ｂに分割したソーラーパネル２２Ｂを用いてもよい。８個のソーラーセル２２２Ｂ〜２２９Ｂは、ソーラーパネル２２Ｂの中心から放射状に配置された分割ラインで分割された扇形状とされ、その中心角が同一角度（３６０度／８）とされた同一面積のセルである。
このようなソーラーパネル２２Ｂは、８個のソーラーセル２２２Ｂ〜２２９Ｂを直列に接続することで、ソーラーパネル２２Ｂの出力電圧をより高くできる利点がある。
一方、ソーラーパネル２２Ｂの直径がソーラーパネル２２Ａと同じである場合、各ソーラーセル２２２Ｂ〜２２９Ｂの面積は、ソーラーセル２２２Ａ〜２２８Ａよりも小さくなり、その分、発電電流が小さくなる。
従って、ソーラーパネルにおいて、７個のソーラーセルに分割するか、８個のソーラーセルに分割するかは、電子時計１におけるソーラーパネルのサイズや、電子時計１で必要とするソーラーパネルの発電電圧値および発電電流値、さらには文字板１１のデザイン、二次電池２４の特性、電子時計１に組み込まれるデバイスの消費電流などを総合的に勘案して設定すればよい。
【００８１】
また、ソーラーパネルは、各ソーラーセルが扇形状に形成されたものに限定されない。例えば、文字板１１の３時および９時のインデックスを結ぶ方向に各分割ラインを設定し、帯状のソーラーセルを１２時から６時方向に順次並べたものなどでもよい。すなわち、ソーラーパネルは、７個または８個に分割されたソーラーセルを備えていれば良い。
【００８２】
ソーラーパネルの各ソーラーセルの面積は、図１０，１１のソーラーパネル２２Ａ，２２Ｂのように完全に同一のものに限定されず、所定範囲のバラツキは許容される。例えば、個別のソーラーセルの面積が、全てのソーラーセルの平均面積に対して、±１０％以内に納まっていればよい。
同様に、各ソーラーセルの面積と、文字板において各ソーラーセルに対応する領域の透過率とを乗算した値が同一になることが好ましいが、所定範囲のバラツキは許容される。例えば、各乗算値が、前記乗算値の平均値に対して±１０％以下の範囲などに設定すればよい。
【００８３】
また、前記実施形態では、位置情報衛星の例としてＧＰＳ衛星について説明したが、本発明の位置情報衛星としては、ＧＰＳ衛星だけではなく、ガリレオ（ＥＵ）、ＧＬＯＮＡＳＳ（ロシア）、北斗（中国）などの他の全地球的航法衛星システム（ＧＮＳＳ）やＳＢＡＳなどの静止衛星や準天頂衛星などの時刻情報を含む衛星信号を発信する位置情報衛星でも良い。
【００８４】
本発明の電子時計は、ＧＰＳ衛星１００の衛星信号を受信する受信装置３０を備えるものに限らず、他の電子機器との無線通信用の機器など、消費電力の大きなデバイスを有する電子時計にも利用できる。
また、電子時計は、腕時計に限定されず、例えば、携帯電話、登山などに用いられる携帯型のＧＰＳ受信機など、消費電力の大きなデバイスを有し、携帯して利用される時計機構を有する装置に広く利用できる。
【符号の説明】
【００８５】
１…電子時計、１０…表示装置、１１…文字板、１２…第１の指針、１３…第２の指針、１４…インジケーター針、２１…ムーブメント、２２…ソーラーパネル、２２Ａ…ソーラーパネル、２２Ｂ…ソーラーパネル、２３…ＧＰＳアンテナ、２４…リチウムイオン二次電池、２５…回路基板、３０…受信装置、４０…制御装置、５０…計時装置、６０…記憶装置、７０…入力装置、７１…リューズ、７２…ボタン、７３…ボタン、７４…ボタン、８０…充電回路、１００…ＧＰＳ衛星、１１１…メインダイヤル、１１２…サブダイヤル、１１３…目盛部、２１０…駆動機構、２２０…ソーラーパネル支持基板、２２１…基材、２２２…ソーラーセル、２２３…ソーラーセル、２２４…ソーラーセル、２２５…ソーラーセル、２２６…ソーラーセル、２２７…ソーラーセル、２２８…ソーラーセル、２２２Ａ…ソーラーセル、２２３Ａ…ソーラーセル、２２４Ａ…ソーラーセル、２２５Ａ…ソーラーセル、２２６Ａ…ソーラーセル、２２７Ａ…ソーラーセル、２２８Ａ…ソーラーセル、２２２Ｂ…ソーラーセル、２２３Ｂ…ソーラーセル、２２４Ｂ…ソーラーセル、２２５Ｂ…ソーラーセル、２２６Ｂ…ソーラーセル、２２７Ｂ…ソーラーセル、２２８Ｂ…ソーラーセル、２２９Ｂ…ソーラーセル、４１０…自動受信制御部、４２０…手動受信制御部、４３０…時刻修正部、６００…時刻データ記憶部、６１０…受信時刻データ、６２０…閏秒更新データ、６３０…内部時刻データ、６４０…時計表示用時刻データ、６５０…タイムゾーンデータ、６８０…タイムゾーンデータ記憶部、６９０…定時受信時刻記憶部、２２２１…分割ライン、２２２２…分割ライン、２２２３…分割ライン、２２３１…分割ライン、２２４１…分割ライン、２２５１…分割ライン、２２６１…分割ライン、２２７１…分割ライン。
【図１】
2014173921.tif 000003
【図２】
2014173921.tif 000004
【図３】
2014173921.tif 000005
【図４】
2014173921.tif 000006
【図５】
2014173921.tif 000007
【図６】
2014173921.tif 000008
【図７】
2014173921.tif 000009
【図８】
2014173921.tif 000010
【図９】
2014173921.tif 000011
【図１０】
2014173921.tif 000012
【図１１】
2014173921.tif 000013